【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
画像信号を受信するための受信機であって、前記画像信号は少なくとも第１符号化画像及び第１対象ディスプレイリファレンスを含み、前記第１対象ディスプレイリファレンスは、前記第１符号化画像が符号化において対象とした第１対象ディスプレイのダイナミックレンジを示し、前記第１対象ディスプレイリファレンスは、前記第１対象ディスプレイの白色点輝度を少なくとも含み、前記受信機は、少なくとも１０００ニットの白色点輝度及びそれに対応する前記第１符号化画像を取り扱う、受信機と、
前記第１対象ディスプレイリファレンスを考慮して、前記第１符号化画像にダイナミックレンジ変換を適用することによって出力画像を生成するダイナミックレンジプロセッサと、
前記出力画像を含む出力画像信号を出力するための出力部と
を含む、画像処理装置。
【請求項２】
前記第１対象ディスプレイリファレンスは、前記第１対象ディスプレイ用の電気光変換関数指標を含む、請求項１に記載の画像処理装置。
【請求項３】
前記第１対象ディスプレイリファレンスは、前記第１対象ディスプレイ用の前記第１符号化画像を生成するために用いられるトーンマッピングを表すトーンマッピング指標を含む、請求項１又は２に記載の画像処理装置。
【請求項４】
前記画像信号は、ダイナミックレンジ変換制御データを含むデータフィールドをさらに含み、前記ダイナミックレンジプロセッサは、前記ダイナミックレンジ変換制御データに応じて前記ダイナミックレンジ変換を実行する、請求項１乃至３のいずれか一項に記載の画像処理装置。
【請求項５】
前記ダイナミックレンジプロセッサは、ＭＰＥＧ−ＡＶＣ符号化等のレガシーＬＤＲ８又は１０ビット符号化として符号化されたＬＤＲ画像である前記第１符号化画像を検出し、前記画像信号に関連付けられたメタデータから、前記第１対象ディスプレイリファレンスに対応するダイナミックレンジ変換を読み取り、前記第１符号化画像に前記ダイナミックレンジ変換を適用することによって、前記第１対象ディスプレイ上でのレンダリングのためにグレーディングされたハイダイナミックレンジ画像である出力画像を生成する、請求項１に記載の画像処理装置。
【請求項６】
前記ダイナミックレンジ変換制御データは、異なる表示最大輝度レベルに対して異なるダイナミックレンジ変換パラメータを有する、請求項４に記載の画像処理装置。
【請求項７】
前記ダイナミックレンジ変換制御データは、異なる表示最大輝度レベルに対して異なるトーンマッピングパラメータを有し、前記ダイナミックレンジプロセッサは、前記異なるトーンマッピングパラメータ及び出力画像信号の最大輝度に応じて、前記ダイナミック変換のためのトーンマッピングパラメータを決定する、請求項４又は６に記載の画像処理装置。
【請求項８】
前記ダイナミックレンジ変換制御データは、前記ダイナミックレンジ変換によって適用されなければならない変換パラメータのセットを定める、請求項４又は６に記載の画像処理装置。
【請求項９】
前記ダイナミックレンジ変換制御データは、前記ダイナミックレンジ変換によって適用されるべき変換パラメータの範囲を定めるデータを含む、請求項４、６、又は８に記載の画像処理装置。
【請求項１０】
前記ダイナミックレンジ変換制御データは、異なる画像カテゴリに対して異なる変換制御データを含む、請求項４又は６に記載の画像処理装置。
【請求項１１】
前記画像信号は、第２符号化画像及び第２対象ディスプレイリファレンスを含み、前記第２対象ディスプレイリファレンスは、前記第２符号化画像が符号化において対象とした第２対象ディスプレイのダイナミックレンジを示し、前記第２対象ディスプレイのダイナミックレンジは、前記第１対象ディスプレイのダイナミックレンジとは異なり、
前記ダイナミックレンジプロセッサは、前記第２対象ディスプレイリファレンスに応じて前記第２符号化画像にダイナミックレンジ変換を適用する、請求項１乃至３のいずれか一項に記載の画像処理装置。
【請求項１２】
前記画像ダイナミックレンジプロセッサは、前記第１符号化画像及び前記第２符号化画像を組み合わせることによって出力画像を生成する、請求項１１に記載の画像処理装置。
【請求項１３】
ディスプレイからデータ信号を受信するための受信機であって、前記データ信号は、前記ディスプレイのディスプレイダイナミックレンジ指標を含むダイナミックレンジ指標を含み、前記ディスプレイダイナミックレンジ指標は少なくとも１つの輝度仕様を含む、受信機をさらに含み、
前記ダイナミックレンジプロセッサは、前記ディスプレイダイナミックレンジ指標に応じて前記第１符号化画像にダイナミックレンジ変換を適用する、請求項１乃至３のいずれか一項に記載の画像処理装置。
【請求項１４】
前記ダイナミックレンジプロセッサは、前記第１対象ディスプレイリファレンスに応じて、前記第１符号化画像を出力画像として生成するか、又は前記第１符号化画像の変換画像を出力画像として生成するかを選択する、請求項１乃至３のいずれか一項に記載の画像処理装置。
【請求項１５】
前記ダイナミックレンジ変換は、ガマット変換を含む、請求項１乃至３のいずれか一項に記載の画像処理装置。
【請求項１６】
前記画像信号の発信源にダイナミックレンジ制御データを送信するための制御データ送信機をさらに含む、請求項１乃至３のいずれか一項に記載の画像処理装置。
【請求項１７】
８又は１０ビット画像信号である前記画像信号を受信して、少なくとも前記第１対象ディスプレイリファレンスに基づいて前記画像信号に輝度マッピングを適用し、高ダイナミックレンジ出力信号を取得する、請求項１乃至３のいずれか一項に記載の画像処理装置。
【請求項１８】
符号化画像を受信するための受信機と、
前記符号化画像、及び前記符号化画像が符号化において対象とした対象ディスプレイのダイナミックレンジを示し、前記対象ディスプレイの白色点輝度を含む対象ディスプレイリファレンスを含む画像信号を生成するための生成器と、
前記画像信号を送信するための送信機と
を含む、少なくとも１０００ニットの輝度でレンダリングされるべきピクセルを含む画像を符号化する画像信号符号化装置。
【請求項１９】
前記対象ディスプレイリファレンスは、前記対象ディスプレイ用の電気光変換関数指標を含む、請求項１８に記載の画像信号符号化装置。
【請求項２０】
前記対象ディスプレイリファレンスは、前記第１対象ディスプレイ用の前記第１符号化画像を生成するために用いられるトーンマッピングを表すトーンマッピング指標を含む、請求項１８に記載の画像信号符号化装置。
【請求項２１】
前記生成器は、ダイナミックレンジ変換制御データを含むデータフィールドを含む前記画像信号を生成し、前記ダイナミックレンジ変換制御データは、前記符号化画像のためのダイナミックレンジ変換のパラメータを示す、請求項１８乃至２０のいずれか一項に記載の画像信号符号化装置。  
【請求項２２】
画像符号化ユニットであって、ＨＤＲ画像を、マッピング関数又はアルゴリズムによって、輝度がピクセルあたり８又は１０ビットを用いて、４００ニットより高いニットを有するディスプレイピーク輝度を対象として符号化された前記符号化画像に符号化し、前記マッピング関数又はアルゴリズムは、このピクセルあたり８又は１０ビット輝度画像のＬＤＲディスプレイ上でのＬＤＲレンダリング、及びＨＤＲディスプレイ上でレンダリングされる場合の前記ピクセルあたり８又は１０ビット輝度画像から再現可能なＨＤＲ画像のＨＤＲレンダリングは、ともに既定の品質基準に従って十分な品質を有することによって特徴付けられ、また、前記マッピング関数又はアルゴリズムを一意的に特徴付けるためのデータが、前記第１対象ディスプレイリファレンス内に共符号化されることによって特徴付けられる、請求項１８乃至２１のいずれか一項に記載の画像信号符号化装置。
【請求項２３】
画像信号を受信するステップであって、前記画像信号は、少なくとも第１符号化画像及び第１対象ディスプレイリファレンスを含み、前記第１対象ディスプレイリファレンスは、前記第１符号化画像が符号化において対象とした第１対象ディスプレイのダイナミックレンジを示し、前記第１対象ディスプレイリファレンスは、前記第１対象ディスプレイの白色点輝度を少なくとも含み、前記受信するステップは、少なくとも１０００ニットの白色点輝度及びそれに対応する前記第１符号化画像を取り扱うことができる、受信するステップと、
前記第１対象ディスプレイリファレンスを考慮して、前記第１符号化画像にダイナミックレンジ変換を適用することによって出力画像を生成するステップと、
出力画像を含む出力画像信号を出力するステップと
を含む、画像処理方法。
【請求項２４】
符号化画像を受信するステップと、
前記符号化画像、及び前記符号化画像が符号化において対象とした対象ディスプレイのダイナミックレンジを示し、前記対象ディスプレイの白色点輝度を含む対象ディスプレイリファレンスを生成するステップと、
前記画像信号を送信するステップと
を含む、少なくとも１０００ニットの輝度でレンダリングされるべきピクセルを含む画像を符号化する画像信号を送信する方法。
【請求項２５】
コンピュータプログラムであって、前記プログラムがコンピュータ上で動作されると、請求項２３又は請求項２４に記載の方法の全ステップを実行するコンピュータプログラムコード手段を含む、コンピュータプログラム。
【請求項２６】
少なくとも１０００ニットの輝度でレンダリングされるべきピクセルを含む第１符号化画像及び画像信号内に共符号化された前記符号化画像のための第１対象ディスプレイリファレンスを少なくとも含む画像信号であって、前記第１対象ディスプレイリファレンスは、前記第１符号化画像が符号化において対象とした第１対象ディスプレイのダイナミックレンジを示し、前記対象ディスプレイリファレンスは、前記対象ディスプレイの白色点輝度を含む、画像信号。
【請求項２７】
請求項２６に記載の画像信号を記憶する、記憶媒体。